(57)【要約】  【課題】  本発明は、北海道、東北地方、高高度等の寒冷地、冬季であっても、槽内水温を大幅に低下させることなく、汚水を安定して処理することができる汚水浄化槽を提供することを目的としている。  【解決手段】  本発明は、槽内に散気装置を有した好気処理槽を備えた浄化槽において、前記散気装置より吐出する空気が、外気温度よりも高い建家内空気である汚水浄化槽である。また、散気装置が、建家に配管接続されるブロワに接続された汚水浄化槽である。  【選択図】  図１
2005199146.tif 000002
【特許請求の範囲】
【請求項１】
槽内に散気装置を有した好気処理槽を備えた浄化槽において、上記散気装置より吐出する空気が、外気温度よりも高い建家内空気である汚水浄化槽。
【請求項２】
請求項１において、散気装置が、建家に配管接続されるブロワに接続された汚水浄化槽。
【発明の詳細な説明】
【技術分野】
【０００１】
本発明は、屎尿、その他の生活排水、又は、これらの合併汚水（以下、「汚水」とも言う。）を処理する汚水浄化槽、特に、寒冷地又は冬季においても好適に使用可能な汚水浄化槽に関する。
【背景技術】
【０００２】
従来の汚水浄化槽について、図３を用いて説明する。図３は、昭和５５年建設省告示第１２９２号第１の二の構造方法に定められた嫌気濾床接触曝気方式の、汚水浄化槽の構造例を示す断面図である。
【０００３】
汚水浄化槽１は、槽内を仕切壁Ａ１、Ａ２、Ａ３、Ａ４により仕切られ、上流側から嫌気濾床槽第１室２８、嫌気濾床槽第２室２９、接触曝気槽３０、沈殿槽１０、消毒槽１１が形成され、流入口２より流入した被処理水が、嫌気濾床槽第１室２８から順次移流し、消毒槽１１を経て流出口１２より処理水となって放流される構造となっている。
【０００４】
嫌気濾床槽第１室２８、嫌気濾床槽第２室２９、及び、接触曝気槽３０には、微生物が着床する接触材４、６、８を充填しており、嫌気濾床槽第１室２８、及び、嫌気濾床槽第２室２９では、流入水中の浮遊物質の大部分を分離貯留する。
【０００５】
嫌気濾床槽第１室２８、及び、嫌気濾床槽第２室２９では、接触材４、６を充填しているが、曝気は行っておらず、槽内が嫌気状態に保たれ、接触材４、６に嫌気性微生物が着床して嫌気処理が行われる。
【０００６】
嫌気濾床槽第２室２９にて嫌気処理の行われた処理水は、接触曝気槽３０に移流する。接触曝気槽３０は、接触材８が設置され、この接触材８の下方に配置された散気装置９より空気が吐出されることから、槽内が好気状態に保たれ、接触材８に好気性微生物が着床して好気処理が行われる。好気処理を行った処理水は、沈殿槽１０へと移流して上澄水と沈殿汚泥とに分離され、上澄水が消毒槽１１にて消毒された後、流出口１２より放流される。
【０００７】
接触曝気槽３０にて行われる曝気について説明すると、曝気は、曝気装置９から空気吐出することにより行われ、曝気装置９は、ブロワ１９の空気入口２０から吸気した空気を空気出口１８より管部材１７を経由して供給され、接触曝気槽３０内に吐出する。接触曝気槽３０内は、吐出された空気により曝気撹拌され、好気状態を維持する。ブロア１９は、屋外地上に設置され、外気を吸気している。
【０００８】
また、寒冷地及び冬季等に好適に使用できる汚水浄化槽としては、後述特許文献１に開示されたものがある。ここで開示される汚水浄化槽は、マンホール蓋の下方に槽本体の汚水からの放熱を抑える内蓋を備え、この内蓋が熱伝導率の低い部材、保温材等により構成することにより、外気が汚水浄化槽内の処理水温度よりも低い場合に起こる槽内水の放熱を防止している。
【特許文献１】特開２００２−１５９９８２号公報
【発明の開示】
【発明が解決しようとする課題】
【０００９】
しかしながら、図３に示す汚水浄化槽は、共に好気処理を行う槽を有しており、寒冷な外気をブロワにより汚水中に供給するため、外気温度が槽内温度よりも低いと槽内水と曝気した空気泡との間で熱交換が行われ、槽内の水温が低下する問題が生じる。
【００１０】
冬季に積雪するような寒冷地では、外気温が氷点下になることが多く、こういった寒冷地で使用される汚水浄化槽の水温は、１０℃未満であることが多い。汚水浄化槽の通常の使用状態としては、槽内水温が１３℃以上とされているように、槽内の微生物群の有機物分解能は水温に影響を受けるので、水温の低下に伴い有機物の分解能が低下し、汚水浄化槽の性能が維持できなくなる恐れがある。
【００１１】
また、特許文献１に記載される汚水浄化槽は、槽内水からの放熱に対して効果を奏するものであり、槽内に低温の外気を供給している以上、この外気の温度が槽内水の温度よりも低い場合の水温低下を避けることはできない。
【００１２】
本発明は、寒冷地、冬季であっても、槽内水温を大幅に低下させることなく、汚水を安定して処理することができる汚水浄化槽を提供することを目的としている。
【課題を解決するための手段】
【００１３】
（１）本発明は、槽内に散気装置を有した好気処理槽を備えた浄化槽において、上記散気装置より吐出する空気が、外気温度よりも高い建家内空気である汚水浄化槽である。
（２）項（１）において、散気装置が、建家に配管接続されるブロワに接続された汚水浄化槽である。
【００１４】
冬季又は寒冷地では、外気温度が氷点下となることもあるが、汚水浄化槽を利用している使用者宅内は外気温より数℃〜数十℃高いので、ブロワの吸気を建家内から行い汚水浄化槽に供給することにより、槽内水温の低下を抑制することができる。また、建家内から吸気することで、室内喚起も兼ねることができる。
【発明の効果】
【００１５】
本発明の汚水浄化槽では、好気性微生物の分解能を大幅に低下させることがなく、寒冷地への設置、冬季の運転等でも安定して汚水の浄化処理を行うことができる。
また、本発明の汚水浄化槽は、建家内の空気を利用するので、建家内の換気も行うことができる。
【発明を実施するための最良の形態】
【００１６】
以下、図面を用いて本発明の実施例を説明する。図１は、本発明の１実施例であり、ブロアの空気入口を浄化槽利用者宅の一室に接続した汚水浄化槽の断面図である。
【００１７】
汚水浄化槽１は、上流側より嫌気処理槽第１室３、嫌気処理槽第２室５、好気処理槽７、沈殿槽１０、及び、消毒槽１１を有しており、流入口２から流入した被処理水が嫌気処理槽第１室３から順次移流し、最後に消毒槽１１を経て流出口１２から処理水として放流される。より詳細に述べると、流入口２から流入した被処理水は、嫌気処理槽第１室３にて嫌気処理及び固形分離を行われ、自然流下により嫌気処理槽第２室５へと移流する。嫌気処理槽第２室では、更なる嫌気処理及び固液分離が行われ、自然流下により好気処理槽７へと移流する。好気処理槽７では、散気装置９から吐出される空気により槽内が好気状態に保たれていることから好気処理が行われ、処理水が好気処理槽７の下方から沈殿槽１０へと移流する。沈殿槽１０では、処理水の沈殿分離が行われ、処理水の一部がエアリフトポンプにより嫌気処理槽第１室へと返送され、上澄液が消毒槽１１にて塩素により滅菌消毒されて流出口１２より放流される。
【００１８】
嫌気処理槽第１室３及び嫌気処理槽第２室５には、接触材４又は６が充填され、固形物の分離・貯留及び嫌気性微生物による有機物の分解（嫌気処理）が行われる。本発明の汚水浄化槽に嫌気処理槽を用いる場合には、固形物の分離・貯留機能と、嫌気処理機能とを有するものであることが好ましく、槽内に接触材が充填されていない槽であってもよい。また、槽内に接触材を有する槽と有しない槽との組み合わせ、室数を区分しない１室だけで処理する方法、３室以上に分かれて処理する方法等としてもよい。
【００１９】
嫌気処理槽第２室５にて処理された処理水は、好気処理槽７に流入する。好気処理槽７は、接触材８を有しており、散気装置９から吐出される空気にて槽内が好気状態に保たれることから、接触材８の表面に好気性微生物が着床して有機物等の分解が行われる。ここで、好気処理槽７は、図１に示すような、接触材８が固定床となっているものに限らず、流動床、上部が流動床・下部が固定床（又は濾過層）、流動床と固定床が水平方向に並設されたものであっても良い。流動床と固定床との分割した場合は、各々の床の底部に散気装置を設けることができるが、建家内空気を用いるのは吐出時間の長い流動床のみとすることができる。固定床下方に設けた散気装置は、固定床自体の洗浄を行う際に空気吐出を行うので、その時間が短く水温に与える影響が少ないことから、必ずしも建家内空気を用いる必要がない。また、接触材８を充填せずに、活性汚泥法のように好気処理を行うものであっても良い。
【００２０】
好気処理槽７にて好気処理を行った処理水は、沈殿槽１０へと移流し、上澄水と沈殿汚泥とに分離される、更に、沈殿槽１０の上澄水は、消毒槽１１を経由することで消毒を行い、流出口から放流する。沈殿槽１０は、前段の好気処理槽が、液中の浮遊物質を低減又は除去する機能、例えば濾過方式である場合、沈殿槽１０の代わりに処理水槽としても良い。
【００２１】
好気処理槽７の内部に設けた散気装置９は、管部材１７を介してブロワ１９の空気出口（吐出口）１８に接続されている。ブロワ１９の空気入口（吸気口）２０は、管部材２２を介して建家２４の天井裏２３に接続されている。ブロワ１９が稼働すると、ブロワ１９は、空気入口２０から管部材２２を介して天井裏２３の空気を吸気し、空気出口１８から管部材１７を介して好気処理槽７に設置した散気部材９へと空気を送気する。好気処理槽７は、散気装置９から吐出される空気により槽内が好気状態に保たれる。
【００２２】
ブロワ１９の空気入口２０と建家２４の天井裏２３とを接続する管部材２２は、空気中の水分（湿気）を除去する除湿器２１が取り付けられている。これは、建家２４内の湿度が高い場合に、吸気した空気中の水分によりブロワ１９の構成部品が故障又は錆るのを未然に防止することを目的に設置しているが、吸気する空気の湿度が外気と同程度であるか、ブロワ１９の構成部品（駆動部、基板部等）が高湿度に対応している場合には、除湿器２１を取り外すこともできる。除湿器２１を取り付ける場合は、その取付位置が、図１に示すように管部材２２の途中に限定されるものではなく、管部材２２が建家２４と接続される建家内部や、ブロワ１９の内部であっても良く、保守管理が容易に行える位置であることが好ましい。
【００２３】
建家２４の一室は、天井裏２３に限らず、居室、浴室、キッチン等であってもよいが、吸気する建家２４内の対象室（部屋）は、その室温が、外気より高いことが吸気対象先として好ましい。人が在室するような部屋（居間、居室）から吸気して汚水浄化槽１に供給すれば、水温低下の抑制により効果を発揮する。
【００２４】
ブロワ１９の空気入口２０と空気出口１８は、各々１箇所ずつである必要はない。ブロワの空気入口２０は、吸気する建家２４の対象室（部屋）の数が複数であれば、対象室（部屋）に接続する管部材２２の数に応じて空気入口２０の数を増やしても良い。同様に、ブロワの空気出口１８についても、汚水浄化槽１の送気先に接続する管部材１７の本数に合わせて、ブロワ１９の空気出口１８の数を増やしてもよい。但し、空気入口２０、空気出口１８の本数が増える程、配管工事のコストが上がるので、空気入口２０及び空気出口１８の数は少ない方が好ましい。また、ブロワ１９の空気入口２０は、一部を外気導入できるようにすることも可能であり、夏季等に建家内空気ではなく外気を吸気できるように切り替えるようにしてもよい。
【００２５】
ブロワ１９の駆動方式は、ダイアフラム式、ロータリー式、ピストン式等が一般的に用いられるが、この駆動方式は特に限定されるものではなく、ブロワ１９に求める必要能力吐出空量（Ｌ／分）、常用吐出圧力（ＭＰＡ）から選定される。
【００２６】
ブロワ１９の設置場所は、屋外地上設置とするのが一般的であるが、積雪地域等では地面に架台を立てて、積雪深度より上方にブロワ１９を設置してもよい。また、ロータリブロワなど駆動部分が暴露している機種の場合には、ブロワ１９をカバーにより覆うようにすると良い。
【００２７】
ブロワ１９による室内空気の吸気は、吸気先の室内の換気を兼ねることができる。室内空気の換気は、シックハウス対策に必要不可欠であり、建材・日用品に多く含まれる室内空気汚染物質によって、居住者が継続的に高い濃度のホルムアルデヒド等の暴露を受けないように、建築基準法令により室内の換気が規定されている。また、ブロワ１９の吸気量（Ｍ３／時）が、室内の換気必要量（Ｍ３／時）に満たない場合には、ファン等の換気設備を追加して換気必要量を確保してもよい。
【００２８】
図２は、図１に示した実施例にファンを追加した例を示している。ブロワ１９は、通気性を有するカバー２５により覆っており、このカバー２５と吸気先の室内とをダクト管２７にて接続している。ダクト管２７の室内側先端には、ファンである換気設備２６が取り付けてあり、換気設備２６の稼働により室内の空気を強制排除する。排気された空気は、ダクト管２７を通ってブロワ１９のカバー２５内に到達し、ブロワ１９の空気入口２０から吸気されるとともに、余剰空気がカバー２５の通気孔（図示省略）から外部に出ていく。また、ブロワのカバー２５を設けずに、ダクト管２７と空気入口２０とを直接接続する場合には、ダクト管２７の途中に、余剰空気を逃がす孔又は弁を設けてもよい。
【図面の簡単な説明】
【００２９】
【図１】本発明の１実施例である汚水浄化槽の概略縦断面図を示す。
【図２】本発明の他の実施例である汚水浄化槽の概略縦断面図を示す。
【図３】従来例である汚水浄化槽の概略断面図を示す。
【符号の説明】
【００３０】
１…汚水浄化槽、２…流入口、３…嫌気処理槽第１室、４…接触材、５…嫌気処理槽第２室、６…接触材、７…好気処理槽、８…接触材、９…散気装置、１０…沈殿槽（処理水槽）、１１…消毒槽、１２…流出口、１７…管部材（配管）、１８…空気出口（吐出口）、１９…ブロワ、２０…空気入口（吸気口）、２１…除湿器、２２…管部材（配管）、２３…天井裏、２４…建屋、２５…カバー、２６…換気設備（ファン）、２７…ダクト管（配管）、２８…嫌気濾床槽第１室、２９…嫌気濾床槽第２室、３０…接触曝気槽
【図１】
2005199146.tif 000003
【図２】
2005199146.tif 000004
【図３】
2005199146.tif 000005